(57)【要約】  本開示は、巻いたパッケージから材料のストランドを巻き戻すための機械に関する。以下により詳細に論述されるように、本開示による巻いたパッケージから材料の複数のストランドを連続的に巻き戻すための機械は、開放面積がより効率的に使用された空間である、比較的より小型の機械であるように配列されてもよく、機械のより小さくかつよりコンパクトな設置面積をもたらす。
2015504831.tif 000002
【特許請求の範囲】
【請求項１】
第１のパッケージ巻き戻しステーション（４１１、４１４）、第１の下流送り込み位置（４１７）、及び第１の中心線（４１８）を有する第１の装置（４０１）であって、前記第１の巻き戻しステーションのうちの１つにおける第１のパッケージ（４１２）から前記第１の下流送り込み位置（４１７）まで第１のストランドを巻き戻すように構成され、前記第１のストランドは、第１の全体方向（４１９）に従う、という第１の装置（４０１）と、
第２のパッケージ巻き戻しステーション（４２１、４２４）、第２の下流送り込み位置（４２７）、及び第２の中心線（４２８）を有する第２の装置（４０２）であって、前記第２の巻き戻しステーションのうちの１つにおける第２のパッケージ（４２５）から前記第２の下流送り込み位置（４２７）まで第２のストランドを巻き戻すように構成され、前記第２のストランドは、第２の全体方向（４２９）に従う、という第２の装置（４０２）と、
前記第１の装置（４０１）及び前記第２の装置（４０２）の下流にあり、機械処理において前記第１のストランド及び前記第２のストランドを使用する、という下流装置と、を備え、
前記第１の中心線（４１８）及び前記第２の中心線（４２８）は、実質的に平行であり、前記第１の全体方向（４１９）は、前記第２の全体方向（４２９）の反対である、機械。
【請求項２】
前記第１の中心線は、第１の垂直仰角で配設され、前記第２の中心線は、第２の垂直仰角で配設され、前記第１の垂直仰角は、前記第２の垂直仰角に等しい、請求項１に記載の機械。
【請求項３】
前記第１の中心線は、第１の仰角で配設され、前記第２の中心線は、第２の仰角で配設され、前記第１の仰角は、前記第２の仰角よりも大きく、
前記第１の装置は、第１の設置面積を有し、前記第２の装置は、第２の設置面積を有し、前記第１の設置面積は、前記第２の設置面積と重なっており、
前記第１の中心線は、前記第２の中心線から水平にオフセットされている、請求項１に記載の機械。
【請求項４】
前記第１のパッケージ巻き戻しステーションのうちの１つは、前記第２の装置に最も近く、実質的に円錐である第１の全体形状を有する第１のストランド巻き戻し輪郭を有する、第１の最近接パッケージ巻き戻しステーションであり、
前記第２のパッケージ巻き戻しステーションのうちの１つは、前記第１の装置に最も近く、実質的に円錐である第２の全体形状を有する第２のストランド巻き戻し輪郭を有する、第２の最近接パッケージ巻き戻しステーションであり、
前記第１の全体形状の一部分及び前記第２の全体形状の一部分は、実質的に平行である、請求項１〜３のいずれか一項に記載の機械。
【請求項５】
前記第１の全体形状の一部分及び前記第２の全体形状の一部分は、完全に平行である、請求項４に記載の機械。
【請求項６】
前記第１の全体形状は、３０センチメートル以下であるオフセット距離だけ前記第２の全体形状から分離されている、請求項４に記載の機械。
【請求項７】
前記第１のパッケージ巻き戻しステーションの各々は、第１の最大直径を有する第１のパッケージを保持するように構成され、
前記第１の全体形状は、前記第１の最大直径以下であるオフセット距離だけ前記第２の全体形状から分離されている、請求項４に記載の機械。
【請求項８】
前記第１のパッケージ巻き戻しステーションの各々は、第１の最大直径を有する第１のパッケージを保持するように構成され、
前記第１の全体形状は、前記第１の最大直径の半分以下であるオフセット距離だけ前記第２の全体形状から分離されている、請求項４に記載の機械。
【請求項９】
第３のパッケージ巻き戻しステーション、第３の下流送り込み位置、及び前記第３の下流送り込み位置を中心としかつそれに垂直である第３の中心線を有する第３の装置であって、前記第３の巻き戻しステーションのうちの１つの中に装着された第３のパッケージから前記第３の下流送り込み位置まで第３のストランドを巻き戻すように構成され、前記第３のストランドは、第３の全体方向に従う、という第３の装置と、
第４のパッケージ巻き戻しステーション、第４の下流送り込み位置、及び前記第４の下流送り込み位置を中心としかつそれに垂直である第４の中心線を有する第４の装置であって、前記第４の巻き戻しステーションのうちの１つの中に装着された第４のパッケージから前記第４の下流送り込み位置まで第４のストランドを巻き戻すように構成され、前記第４のストランドは、第４の全体方向に従う、という第４の装置と、
前記第３の装置及び前記第４の装置の下流にあり、前記機械処理において前記第３のストランド及び前記第４のストランドを使用する、という前記下流装置と、を備え、
前記第１、第２、第３、及び第４の中心線は、実質的に平行であり、前記第１及び第３の全体方向は、前記第２及び第４の全体方向の反対である、請求項１〜８のいずれか一項に記載の機械。
【請求項１０】
前記第１の中心線及び前記第２の中心線は、完全に平行である、請求項１〜９のいずれか一項に記載の機械。
【請求項１１】
前記第１の中心線及び前記第２の中心線は、完全に水平である、請求項１〜１０のいずれか一項に記載の機械。
【発明の詳細な説明】
【技術分野】
【０００１】
本開示は、巻いたパッケージから材料のストランドを巻き戻すための機械に関する。具体的には、本開示は、巻いたパッケージから材料の複数のストランドを連続的に巻き戻すための小型機械に関する。
【背景技術】
【０００２】
取り出し設備は、コアに予め巻いた材料のストランドを巻き戻すために使用される。予め巻いたコアは、パッケージと呼ばれる。取り出し設備は、ストランドを巻き戻し、次に、巻かれていないストランドを下流設備に供給する。取り出し設備は、下流設備に連続的に供給しながら順にパッケージを巻き戻すことができる。各パッケージは、前端及び後端を有する材料の単一の連続的なストランドを有する。取り出しプロセスでは、第１のパッケージの後端は、第２のパッケージの前端に接合されてもよい。
【０００３】
取り出し設備が第１の（稼働中）パッケージを巻き戻し終えると、それは、後端を引き抜き、それが第２の（待機）パッケージの前端を引き抜き、それにより第２のパッケージの巻き戻しを開始する。待機パッケージは、新しい稼働中パッケージになる。終了した第１のパッケージは、新しい待機パッケージと置き換えられてもよい。端部を接続し、パッケージを置き換えるプロセスは、無期限に繰り返されてもよい。したがって、取り出しプロセスでは、パッケージを置き換えるために下流設備を停止させる必要はない。
【０００４】
このプロセスでは、巻かれていない各ストランドに対して、取り出し設備は典型的に、稼働中及び待機パッケージのために２つのパッケージ巻き戻しステーションを有する。２つのステーションは典型的に、各ステーションが共有の下流送り込み位置に向かって角度を成して互いに隣接する。共に、２つのパッケージ巻き戻しステーション及び下流送り込み位置は、取り出し装置を形成し、それは材料の１つのストランドを巻き戻すことができる。
【発明の概要】
【発明が解決しようとする課題】
【０００５】
下流設備が材料の複数のストランドを必要とするとき、複数の取り出し装置が使用される。しかしながら、多くの機械では、取り出し装置は、大きな開放面積を残す様式で配列され、これは、非効率的に使用された空間、したがって巻き戻す機械の設置面積が不必要に大きくなる。
【課題を解決するための手段】
【０００６】
本開示は、巻いたパッケージから材料のストランドを巻き戻すための機械に関する。以下により詳細に論述されるように、本開示による巻いたパッケージから材料の複数のストランドを連続的に巻き戻すための機械は、開放面積がより効率的に使用された空間である、比較的より小型の機械であるように配列されてもよく、機械の設置面積がより小さくかつよりコンパクトになる。
【０００７】
一形態では、機械は、第１のパッケージ巻き戻しステーション、第１の下流送り込み位置、及び第１の中心線を有する第１の装置であって、第１の巻き戻しステーションのうちの１つにおける第１のパッケージから第１の下流送り込み位置まで第１のストランドを巻き戻すように構成され、第１のストランドは、第１の全体方向に従う、という第１の装置と、第２のパッケージ巻き戻しステーション、第２の下流送り込み位置、及び第２の中心線を有する第２の装置であって、第２の巻き戻しステーションのうちの１つにおける第２のパッケージから第２の下流送り込み位置まで第２のストランドを巻き戻すように構成され、第２のストランドは、第２の全体方向に従う、という第２の装置と、第１の装置及び第２の装置の下流にあり、機械処理において第１のストランド及び第２のストランドを使用する、という下流装置と、を備え、第１の中心線及び第２の中心線は、実質的に平行であり、第１の全体方向は、第２の全体方向の反対である。
【０００８】
別の形態では、機械は、第１のパッケージ巻き戻しステーション、第１の下流送り込み位置、及び第１の下流送り込み位置を中心としかつそれに垂直である第１の中心線を有する第１の装置であって、第１の巻き戻しステーションのうちの１つの中に装着された第１のパッケージから第１の下流送り込み位置まで第１のストランドを巻き戻すように構成され、第１のストランドは、第１の全体方向に従う、という第１の装置と、第２のパッケージ巻き戻しステーション、第２の下流送り込み位置、及び第２の下流送り込み位置を中心としかつそれに垂直である第２の中心線を有する第２の装置であって、第２の巻き戻しステーションのうちの１つの中に装着された第２のパッケージから第２の下流送り込み位置まで第２のストランドを巻き戻すように構成され、第２のストランドは、第２の全体方向に従う、という第２の装置と、第３のパッケージ巻き戻しステーション、第３の下流送り込み位置、及び第３の下流送り込み位置を中心としかつそれに垂直である第３の中心線を有する第３の装置であって、第３の巻き戻しステーションのうちの１つの中に装着された第３のパッケージから第３の下流送り込み位置まで第３のストランドを巻き戻すように構成され、第３のストランドは、第３の全体方向に従う、という第３の装置と、第１の装置、第２の装置、及び第３の装置の下流にあり、機械処理において第１のストランド、第２のストランド、及び第３のストランドを使用する、という下流装置と、を備え、第１の中心線、第２の中心線、及び第３の中心線は、実質的に放射状配列に配列され、第１の全体方向、第２の全体方向、及び第３の全体方向は、配列の中心に向かって内側に方向付けられる。
【図面の簡単な説明】
【０００９】
【図１Ａ】先行技術の取り出し装置の正面図を図示する。
【図１Ｂ】図１Ａの上面図を図示する。
【図１Ｃ】水平な段及び垂直な列に配列された、いくつかの取り出し装置を有する先行技術の機械の一部分の正面図を図示する。
【図１Ｄ】図１Ｃの上面図を図示する。
【図２】ずれた垂直な列に配列された、いくつかの取り出し装置を有する機械の一部分の側面図を図示する。
【図３】ずれた水平な段に配列された、いくつかの取り出し装置を有する機械の一部分の側面図を図示する。
【図４Ａ】異なる全体方向を有する隣接する装置で、水平な段に配列された、いくつかの取り出し装置を有する機械の一部分の側面図を図示する。
【図４Ｂ】図４Ａの上面図を図示する。
【図５】異なる全体方向を有する隣接する列の装置、及びずれた垂直な列で配列された、いくつかの取り出し装置を有する機械の一部分の側面図を図示する。
【図６】異なる全体方向を有する同じ段の隣接する装置、及びずれた水平な段で、水平な段に配列された、いくつかの取り出し装置を有する機械の一部分の側面図を図示する。
【図７】交互方向に配列され、互いに水平かつ垂直にオフセットされた、いくつかの取り出し装置を有する機械の一部分の側面図を図示する。
【図８】放射状配列に配列された、いくつかの取り出し装置を有する機械の一部分の側面図を図示する。
【発明を実施するための形態】
【００１０】
上述されるように、現在の取り出し装置は、大きな開放面積を残す様式で配列されてもよく、これは、非効率的に使用された空間、したがって巻き戻す機械の設置面積が不必要に大きくなる。かかる非効率な空間の使用は、先行技術の配列が図１Ａ〜１Ｄに図示されるという点で以下により詳細に論述される。
【００１１】
例えば、図１Ａは、第１のパッケージ１１２を保持する第１のパッケージ巻き戻しステーション１１１及び第２のパッケージ１１５を保持する第２のパッケージ巻き戻しステーション１１４を有する１つの先行技術の取り出し装置１０１の正面図を図示する。第１のパッケージ１１２は、ストランドを巻き戻すことができ、そのストランドがパッケージ１１２から下流送り込み位置１１７へ移動するとき、巻き戻すストランドの輪郭１１３が実質的に円錐の全体形状を有する。第２のパッケージ１１５もまた、ストランドを巻き戻すことができ、そのストランドがパッケージ１１５から下流送り込み位置１１７へ移動するとき、巻き戻すストランドの輪郭１１６もまた、実質的に円錐の全体形状を有する。図１Ｂは、図１Ａの上面図を図示する。装置１０１は、第１のパッケージ巻き戻しステーション１１１と第２のパッケージ巻き戻しステーション１１４との中間に配設され、かつ下流送り込み位置１１７を中心とする中心線１１８を有する。装置１０１はまた、巻き戻すストランドの下流方向に配向され、かつ中心線１１８と整列される全体方向１１９を有する。本明細書に記載される各取り出し装置は、同様の番号が付けられた要素が同様に構成される、同じ全体構成を有する。
【００１２】
図１Ｃは、水平な段及び垂直な列に配列された、６つの取り出し装置を有する先行技術の機械１００の一部分の正面図を図示する。図１Ｃにおける取り出し装置の全ては、機械処理においてストランドを使用する共通の下流装置に、巻かれていないストランドを提供するように構成される。第１の取り出し装置１０１、第２の取り出し装置１０２、及び第３の取り出し装置１０３は、水平に配列された上段を形成する。第４の取り出し装置１０４、第５の取り出し装置１０５、及び第６の取り出し装置１０６は、水平に配列された下段を形成する。第１の取り出し装置１０１及び第４の取り出し装置１０４は、第１の垂直な列を形成する。第２の取り出し装置１０２及び第５の取り出し装置１０５は、第２の垂直な列を形成する。第３の取り出し装置１０３及び第６の取り出し装置１０６は、第３の垂直な列を形成する。装置１０１〜１０６の全てに対して、それらの中心線は平行であり、それらの全体方向は、同じ方向に（視認者に向かって）配向される。
【００１３】
装置１０１〜１０６の配列及びパッケージ巻き戻しステーション間の間隔の必要性により、機械１００は、装置の異なる部分の間の、いくつかの垂直に配向された開放空間を有する。開放空間１６１、１６２、及び１６３が、同じ列で装置の中心間に存在する。開放空間１７１及び１７２が、段と列との交差点で、装置の外側の範囲間に存在する。これらの開放空間は、非効率的に使用された空間、したがって機械１００の不必要に大きな設置面積を表す。図１Ｄは、図１Ｃの上面図を図示する。装置１０１〜１０６の配列及びパッケージ間の間隔の必要性により、機械１００は、装置間の、いくつかの水平に配向された開放空間を有する。開放空間１８１及び１８２が、同じ段において隣接する装置の両側間に存在する。これらの開放空間はまた、非効率的に使用された空間、及び機械１００の不必要に大きな設置面積を表す。
【００１４】
以下により詳細に論述されるように、本開示による巻いたパッケージから材料の複数のストランドを連続的に巻き戻すための機械は、開放面積がより効率的に使用された空間である、比較的より小型の機械であるように配列されてもよく、機械のより小さくかつよりコンパクトな設置面積をもたらす。例えば、図２は、ずれた垂直な列に配列された、６つの取り出し装置を有する機械２００の一部分の側面図を図示する。図２における取り出し装置の全ては、機械処理においてストランドを使用する共通の下流装置に、巻かれていないストランドを提供するように構成される。第１の取り出し装置２０１及び第４の取り出し装置２０４は、第１の垂直な列を形成する。第２の取り出し装置２０２及び第５の取り出し装置２０５は、第２の垂直な列を形成する。第３の取り出し装置２０３及び第６の取り出し装置２０６は、第３の垂直な列を形成する。機械２００では、隣接する垂直な列が、互いに対してずれて（即ち、異なる仰角で配設されて）、一方の列内の装置が、隣接する列内の隣接装置と水平な段を形成しないようにする。
【００１５】
図２では、この列は、各列内の装置の中心線が隣接する列内の装置の中心線の中間に垂直に配設されるように垂直にオフセットされるが、様々な実施形態では、このずれた間隔は、様々な距離に変更されてもよい。装置２０１〜２０６の全てに対して、それらの中心線は、完全に水平であり、したがって完全に平行である。しかしながら、様々な実施形態では、それらの中心線のうちの１つ以上は、実質的に水平のみであってもよく、それらの中心線のうちの１つ以上は、他の中心線と実質的に平行のみであってもよい。装置２０１〜２０６の全てに対して、それらの全体方向は、同じ方向に（視認者に向かって）配向される。
【００１６】
装置２０１〜２０６の配列により、装置の外側の範囲間の開放空間（図１Ｃにおける１７１及び１７２）の寸法が減少される。これらの開放面積は、より効率的に使用された空間であり、機械２００のより小さくかつよりコンパクトな設置面積をもたらす。図２の実施形態はまた、上述されるように配列された装置への異なる番号によって変更されてもよい。
【００１７】
別の例では、図３は、ずれた水平な段に配列された、６つの取り出し装置を有する機械３００の一部分の側面図を図示する。図３における取り出し装置の全ては、機械処理においてストランドを使用する共通の下流装置に、巻かれていないストランドを提供するように構成される。第１の取り出し装置３０１、第２の取り出し装置３０２、及び第３の取り出し装置３０３は、水平に配列された上段を（全てをある仰角で）形成する。第４の取り出し装置３０４、第５の取り出し装置３０５、及び第６の取り出し装置３０６は、水平に配列された下段を（全てを別の仰角で）形成する。機械３００では、隣接する水平な段が互いに対して水平にオフセットされて、一方の段内の装置が、隣接する段内の隣接装置と垂直な列を形成しないようにする。
【００１８】
図３では、この列は、各段内の装置の中心線が隣接する段内の装置の中心線間の距離の約４分の１に配設されるように水平にずらされているが、様々な実施形態では、このずれた間隔は、様々な距離に変更されてもよい。装置３０１〜３０６の全てに対して、それらの中心線は、完全に水平であり、したがって完全に平行である。しかしながら、様々な実施形態では、それらの中心線のうちの１つ以上又は更に全てが、実質的に水平のみであってもよく、それらの中心線のうちの１つ以上又は更に全てが、他の中心線と実質的に平行のみであってもよい。他の実施形態では、それらの中心線のうちの１つ以上又は更に全ては、他の中心線のうちの１つ以上又は更に全てと非平行であってもよい。装置３０１〜３０６の全てに対して、それらの全体方向は、同じ方向に（視認者に向かって）配向される。
【００１９】
装置３０１〜３０６の配列により、装置の中心間の開放空間（図１Ｃにおける１６１、１６２、及び１６３）の寸法が減少される。これらの開放面積は、より効率的に使用された空間であり、機械３００のより小さくかつよりコンパクトな設置面積をもたらす。図３の実施形態はまた、上述されるように配列された装置への異なる番号によって変更されてもよい。
【００２０】
図４Ａは、異なる全体方向を有する隣接する装置で、水平な段に配列された、４つの取り出し装置を有する機械４００の一部分の側面図を図示する。図４Ａにおける取り出し装置の全ては、機械処理においてストランドを使用する共通の下流装置に、巻かれていないストランドを提供するように構成される。第１の取り出し装置４０１、第２の取り出し装置４０２、第３の取り出し装置４０３、及び第４の取り出し装置４０４が、水平に段を（全てをある仰角で）形成する。異なる全体方向により、第１の取り出し装置４０１及び第３の取り出し装置４０３は、視認者の方に向いているが、第２の取り出し装置４０２及び第４の取り出し装置４０４は、視認者に背を向けている。
【００２１】
図４Ｂは、図４Ａの上面図を図示する。図４Ｂの実施形態では、装置の設置面積（即ち、上から見たときに装置の外側の範囲）は、互いに重ならない。装置４０１〜４０４の全てに対して、それらの中心線は、完全に水平であり、したがって完全に平行である。しかしながら、様々な実施形態では、それらの中心線のうちの１つ以上又は更に全てが、実質的に水平のみであってもよく、それらの中心線のうちの１つ以上又は更に全てが、他の中心線と実質的に平行のみであってもよい。他の実施形態では、それらの中心線のうちの１つ以上又は更に全ては、他の中心線のうちの１つ以上又は更に全てと非平行であってもよい。
【００２２】
隣接する装置４０１及び４０２は、反対側の全体方向を有する。同様に、隣接する装置４０２及び４０３は、反対側の全体方向を有する。更に、隣接する装置４０３及び４０４は、反対側の全体方向を有する。
【００２３】
隣接する装置に対して、それらのストランド輪郭の実質的に円錐の全体形状の部分は互いに平行である。ストランド輪郭４１６の一部分は、距離４８１だけ分離されたストランド輪郭４２３の一部分と平行である。ストランド輪郭４２６の一部分は、距離４８２だけ分離されたストランド輪郭４３３の一部分と平行である。ストランド輪郭４３６の一部分は、距離４８３だけ分離されたストランド輪郭４４３の一部分と平行である。
【００２４】
本明細書に記載される実施形態のいずれかでは、隣接する巻き戻すストランド間の距離（図４Ｂの実施形態における距離４８１、４８２、及び４８３など）は、隣接する巻き戻すストランド間の干渉の可能性を減少させるように様々な寸法に設定されてもよい。本明細書に記載される実施形態のいずれかでは、この距離は、５０ｃｍ以下、４５ｃｍ以下、４０ｃｍ以下、３５ｃｍ以下、３０ｃｍ以下、２５ｃｍ以下、２０ｃｍ以下、１５ｃｍ以下、若しくは１０ｃｍ以下、又はこれらのいずれかの間の任意の整数値、又はこれらの値のいずれかから作成される任意の範囲など、特定の寸法に設定されてもよい。本明細書に記載される実施形態のいずれかでは、この距離は、装置によって巻かれるようにパッケージに対する最大直径寸法に基づく寸法に設定されてもよい。加えて又はあるいは、本明細書に記載される実施形態のいずれかでは、本機械は、隣接する巻き戻すストランド間の干渉を防ぐために、隣接する装置間にはめ込まれるガード、シールド、又は分離パネルを備えることができる。
【００２５】
図４Ｂの特定の代替的実施形態では、隣接する装置は、互いに対してより近く移動されてもよく、装置の設置面積（即ち、上から見たときに装置の外側の範囲）が互いに部分的に重なるようにする。例えば、第１の取り出し装置４０１及び第２の取り出し装置４０２は、互いに対して（内側横向きに、若しくは全体方向（複数可）に、又はこれらの方向の組み合わせに）移動されてもよく、ストランド輪郭４１６及び４２３が少なくとも部分的に重なるようにする。この重なり状態は、ある特定のプロセス条件で干渉せずに存在することができる。例えば、装置４０１の左側パッケージ巻き戻しステーションにおけるパッケージが稼働中パッケージであり、装置４０２の左側パッケージ巻き戻しステーションにおけるパッケージが稼働中パッケージである場合、ストランド輪郭４２３は、装置４０１の右側パッケージが稼働中でないため、ストランド輪郭４１６に干渉せず、そのため、ストランド輪郭４１６は、干渉を生じない。このように、隣接する装置の設置面積は、最近接パッケージ巻き戻しステーションのパッケージコア及びフレームが、隣接する装置の設置面積内に入らない限り、互いに部分的に重なることができる。この重なる関係はまた、機械４００内の他の隣接する装置に対して繰り返されてもよい。
【００２６】
装置４０１〜４０４の配列により、装置の両側間の開放空間（図１Ｄにおける１８１及び１８２など）の寸法が減少される。これらの開放面積は、より効率的に使用された空間であり、機械４００のより小さくかつよりコンパクトな設置面積をもたらす。図４Ａの実施形態はまた、各段の装置が上述されるように配列されて、１つの段及び任意の数の段の装置への異なる番号によって変更されてもよい。
【００２７】
図５は、異なる全体方向を有する隣接する列の装置、及びずれた垂直な列で配列された、６つの取り出し装置（５０１〜５０６）を有する機械５００の一部分の側面図を図示する。機械５００は、隣接する垂直な列が図２の実施形態に関連して記載されるように互いに対してずれることを除いて、図４Ａ及び４Ｂの機械４００と同じように構成される。
【００２８】
装置５０１〜５０６の配列により、装置間の開放空間の寸法が減少される。これらの開放面積は、より効率的に使用された空間であり、機械５００のより小さくかつよりコンパクトな設置面積をもたらす。図５の実施形態はまた、上述されるように配列された装置への異なる番号によって変更されてもよい。
【００２９】
図６は、異なる全体方向を有する同じ段の隣接する装置、及びずれた水平な段で、水平な段に配列された、６つの取り出し装置（６０１〜６０６）を有する機械の一部分の側面図を図示する。機械６００は、隣接する水平な段が、図３の実施形態に関連して記載されるように、互いに対してずれていることを除いて、図４Ａ及び４Ｂの機械４００と同じように構成される。
【００３０】
装置６０１〜６０６の配列により、装置間の開放空間の寸法が減少される。これらの開放面積は、より効率的に使用された空間であり、機械６００のより小さくかつよりコンパクトな設置面積をもたらす。図６の実施形態はまた、上述されるように配列された、装置への異なる番号によって変更されてもよい。
【００３１】
図７は、交互方向に配列され、互いに水平かつ垂直にオフセットされた、４つの取り出し装置を有する機械７００の一部分の側面図を図示する。図７の実施形態では、第１の取り出し装置７０１及び第２の取り出し装置が、水平な一段を形成し、一方向に（視認者に向かって）一般に整列される全体方向を有するが、第３の取り出し装置７０３及び第４の取り出し装置７０４が、別の水平な段を形成し（一段から垂直にオフセットし）、別の方向に（視認者から離れて）一般に整列される全体方向を有する。
【００３２】
装置７０１〜７０４の配列により、装置間の開放空間の寸法が減少される。これらの開放面積は、より効率的に使用された空間であり、機械７００のより小さくかつよりコンパクトな設置面積をもたらす。図７の実施形態はまた、上述されるように配列された、装置への異なる番号によって変更されてもよい。
【００３３】
図８は、放射状配列に配列された、４つの取り出し装置を有する機械の一部分の側面図を図示する。取り出し装置８０１、８０２、８０３、及び８０４は、それらの全体方向の全てが配列の中心に向かって内側に方向付けられるように、円形配列に配列される。
【００３４】
図８における取り出し装置の全ては、機械処理においてストランドを使用する共通の下流装置に、巻かれていないストランドを提供するように構成される。第１の取り出し装置８０１、第２の取り出し装置８０２、第３の取り出し装置８０３、及び第４取り出し装置８０４が、水平に配向された円を（全てをある仰角で）形成する。
【００３５】
図８の実施形態では、装置の設置面積（即ち、上から見たときに装置の外側の範囲）は、互いに重ならない。装置８０１〜８０４の全てに対して、それらの中心線は、完全に水平である。しかしながら、様々な実施形態では、それらの中心線のうちの１つ以上又は更に全ては、実質的に水平のみであってもよい。装置８０１〜８０４の全てに対して、それらの中心線は、共通点で交差し、したがって完全に放射状である。しかしながら、様々な実施形態では、それらの中心線のうちの１つ以上又は更に全ては、実質的に放射状のみであってもよい。
【００３６】
図８では、隣接する装置に対して、それらのストランド輪郭の実質的に円錐の全体形状の部分が、互いに実質的又は完全に平行である。しかしながら、様々な実施形態では、隣接する装置に対して、それらのストランド輪郭の実質的に円錐の全体形状の部は、互いに非平行であってもよい。ストランド輪郭８１６の一部分は、距離８８１だけ分離されたストランド輪郭８２３の一部分と平行である。ストランド輪郭８２６の一部分は、距離８８２だけ分離されたストランド輪郭８３３の一部分と平行である。ストランド輪郭８３６の一部分は、距離８８３だけ分離されたストランド輪郭８４３の一部分と平行である。ストランド輪郭８４６の一部分は、距離８８４だけ分離されたストランド輪郭８１３の一部分と平行である。
【００３７】
本明細書に記載される実施形態のいずれかでは、隣接する巻き戻すストランド間の距離（図８の実施形態における距離８８１、８８２、及び８８３など）は、隣接する巻き戻すストランド間の干渉の可能性を減少させるように様々な寸法に設定されてもよい。本明細書に記載される実施形態のいずれかでは、この距離は、５０ｃｍ以下、４５ｃｍ以下、４０ｃｍ以下、３５ｃｍ以下、３０ｃｍ以下、２５ｃｍ以下、２０ｃｍ以下、１５ｃｍ以下、若しくは１０ｃｍ以下、又はこれらのいずれかの間の任意の整数値、又はこれらの値のいずれかから作成された任意の範囲など、特定の寸法に設定されてもよい。本明細書に記載される実施形態のいずれかでは、この距離は、装置によって巻かれるようにパッケージに対する最大直径寸法に基づく寸法に設定されてもよい。加えて又はあるいは、本明細書に記載される実施形態のいずれかでは、本機械は、隣接する巻き戻すストランド間の干渉を防ぐために、隣接する装置間にはめ込まれるガード、シールド、又は分離パネルを備えることができる。
【００３８】
装置８０１〜８０４の配列により、装置の両側間の開放空間（図１Ｄにおける１８１及び１８２など）の寸法が減少される。これらの開放面積は、より効率的に使用された空間であり、機械８００のより小さくかつよりコンパクトな設置面積をもたらす。
【００３９】
図８の実施形態はまた、いくつかの手法で変更されてもよい。異なる数の装置が、放射状配列に使用されてもよい。放射状配列は、完全な円を形成してもよく又はしなくてもよい。機械は、互いに重なり合って垂直に積層された任意の数の放射状配列を含むことができ、各放射状配列の装置が上述されるように配列される。機械は、互いに重なり合って垂直に積層された２つ以上の放射状配列を含み、隣接する装置は、垂直及び／又は放射状に整列されてもよく、あるいは、図２及び３の実施形態に関連して記載されるように、互いに垂直又は放射状にオフセットされてもよい。
【００４０】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ミリメートル」として開示される寸法は、「約４０ミリメートル」を意味するものである。
【００４１】
任意の相互参照又は関連特許若しくは関連出願を包含する本明細書に引用される全ての文献は、明確に除外ないしは別の方法で限定されない限り、その全てにわたって本明細書に参照により組み込まれる。いずれの文献の引用も、こうした文献が本願で開示又は特許請求される全ての発明に対する先行技術であることを容認するものではなく、あるいは、こうした文献が、単独で、又は他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【００４２】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の「特許請求の範囲」で扱うものとする。
【図１Ａ】
2015504831.tif 000003
【図１Ｂ】
2015504831.tif 000004
【図１Ｃ】
2015504831.tif 000005
【図１Ｄ】
2015504831.tif 000006
【図２】
2015504831.tif 000007
【図３】
2015504831.tif 000008
【図４Ａ】
2015504831.tif 000009
【図４Ｂ】
2015504831.tif 000010
【図５】
2015504831.tif 000011
【図６】
2015504831.tif 000012
【図７】
2015504831.tif 000013
【図８】
2015504831.tif 000014
【国際調査報告】
2015504831.tif 000015
2015504831.tif 000016
2015504831.tif 000017